(57)【要約】  セル内の伝搬遅延差を考慮したＬＢＴを実現するための技術が開示される。本発明の一態様は、スケジューリングされた無線リソースを用いて基地局とセルを介した送受信を実行する送受信部と、前記セルの周波数帯域についてＬｉｓｔｅｎ  Ｂｅｆｏｒｅ  Ｔａｌｋ（ＬＢＴ）を、スケジューリングされたアップリンク送信タイミングに対し、個別のＬＢＴタイミングで実行する周波数利用状況検出部とを有するユーザ装置であって、前記周波数利用状況検出部が前記周波数帯域において他のユーザ装置が通信していないと判断すると、前記送受信部は、前記基地局へのアップリンク送信を実行するユーザ装置に関する。
2016121872.tif 000002
【特許請求の範囲】
【請求項１】
スケジューリングされた無線リソースを用いて基地局とセルを介した送受信を実行する送受信部と、
前記セルの周波数帯域についてＬｉｓｔｅｎ  Ｂｅｆｏｒｅ  Ｔａｌｋ（ＬＢＴ）を、スケジューリングされたアップリンク送信タイミングに対し、個別のＬＢＴタイミングで実行する周波数利用状況検出部と、
を有するユーザ装置であって、
前記周波数利用状況検出部が前記周波数帯域において他のユーザ装置が通信していないと判断すると、前記送受信部は、前記基地局へのアップリンク送信を実行するユーザ装置。
【請求項２】
前記周波数利用状況検出部は、前記基地局から指示されたＬＢＴタイミングで前記ＬＢＴを実行する、請求項１記載のユーザ装置。
【請求項３】
前記周波数利用状況検出部は、前記基地局によって同一のサブフレームに多重される全てのユーザ装置に対して指示された、ユーザ装置間のＬＢＴタイミング差が所定の範囲内に収まるようなＬＢＴタイミングで前記ＬＢＴを実行する、請求項２記載のユーザ装置。
【請求項４】
前記指示されたＬＢＴタイミングは、前記同一のサブフレームに多重されるユーザ装置のうち特定のユーザ装置に対するＬＢＴタイミングである、請求項３記載のユーザ装置。
【請求項５】
前記周波数利用状況検出部は、前記特定のユーザ装置のタイミングアドバンス値の変化に応答して前記基地局から通知された変化量に従って前記ＬＢＴタイミングを調整する、請求項４記載のユーザ装置。
【請求項６】
前記周波数利用状況検出部は、前記基地局からの前記ＬＢＴタイミングの指示に依らず、前記個別のＬＢＴタイミングを自律的に決定する、請求項１記載のユーザ装置。
【請求項７】
前記周波数利用状況検出部は、前記基地局から受信した前記セルのタイミングアドバンス最大値に基づき前記ＬＢＴタイミングを決定する、請求項６記載のユーザ装置。
【請求項８】
前記送受信部は、前記基地局から受信した前記セルのタイミングアドバンス最大値と当該ユーザ装置のタイミングアドバンス値との間の期間に行われたＬＢＴ判定結果に関わらず、前記基地局へのアップリンク送信を判断する、請求項６記載のユーザ装置。
【請求項９】
ユーザ装置による通信制御方法であって、
基地局とのセルを介したアップリンク送信のためスケジューリングされた無線リソースを示すアップリンクスケジューリンググラントを受信するステップと、
前記セルの周波数帯域についてＬｉｓｔｅｎ  Ｂｅｆｏｒｅ  Ｔａｌｋ（ＬＢＴ）を、スケジューリングされたアップリンク送信タイミングに対し、個別のＬＢＴタイミングで実行するステップと、
前記周波数帯域において他のユーザ装置が通信していないと判断すると、前記基地局へのアップリンク送信を実行するステップと、
を有する通信制御方法。
【発明の詳細な説明】
【技術分野】
【０００１】
本発明は、無線通信システムに関する。
【背景技術】
【０００２】
現状のＬＴＥ（Ｌｏｎｇ  Ｔｅｒｍ  Ｅｖｏｌｕｔｉｏｎ）システムでは、通信事業者に割り当てられたライセンスバンドを用いて無線通信が行われている。スマートフォンやタブレットなどの高機能化されたユーザ装置（Ｕｓｅｒ  Ｅｑｕｉｐｍｅｎｔ：ＵＥ）の普及はユーザトラヒックを急激に増加させている。この増加するユーザトラヒックを吸収するため、更なる周波数バンドを追加する必要があるが、ライセンスバンドの帯域には限りがある。このため、ライセンスバンド以外に利用可能なアンライセンスバンドを利用して、ＬＴＥシステムの周波数帯域を拡張することが検討されている。このようなアンライセンスバンドの一例として、ＷｉＦｉ（登録商標）等に用いられるバンドがあげられる。【０００３】
アンライセンスバンドにおいては、当該周波数帯域で通信している他のユーザ装置や基地局（ｅｖｏｌｖｅｄ  ＮｏｄｅＢ：ｅＮＢ）などの他のエンティティが検出された場合、当該ユーザ装置は、アンライセンスバンドにおいて通信することが禁止されている。このため、送信機は、アップリンク送信タイミングよりも所定期間前のタイミングでＬｉｓｔｅｎ  Ｂｅｆｏｒｅ  Ｔａｌｋ（ＬＢＴ）を実行する。ＬＢＴでは、送信機は、アップリンク送信タイミングよりも所定期間前のタイミングで対象となる周波数帯域全体をサーチし、他の送信機（ｅＮＢ、ＬＡＡ（Ｌｉｃｅｎｓｅｄ  Ａｓｓｉｓｔｅｄ  Ａｃｃｅｓｓ）−ＵＥ、ＷｉＦｉ装置など）が当該周波数帯域において通信しているか確認し、通信していないことが確認された場合に限って、当該周波数帯域において送信を行う。他方、一部の周波数帯域でも他の送信機が使用中であれば、すなわち、他の送信機からの受信電力が閾値を超過していることが検出されると、送信機は自らの送信を中止する（ＬＢＴ：ＮＧ）。
【先行技術文献】
【非特許文献】
【０００４】
【非特許文献１】ＲＰ−１３１７０１
【発明の概要】
【発明が解決しようとする課題】
【０００５】
アンライセンスバンドだけでなくライセンスバンドにおいても、基地局とユーザ装置とが送信を行う際にはＬＢＴを行って送信を実行することが想定される。基地局がＬＡＡにおいてユーザ装置を周波数多重する場合、すなわち、複数のユーザ装置が同一のサブフレームで送信を行うようスケジューリングされる場合、伝搬遅延差のため、アップリンク送信タイミングはユーザ装置毎に異なる。このため、当該サブフレームで送信を行う他のユーザ装置の送信がＬＢＴで検出される可能性がある。【０００６】
例えば、図１に示されるように、基地局が、同一のサブフレームを３つのユーザ装置ＵＥ＃１，ＵＥ＃２，ＵＥ＃３に割り当てたとする。これらのユーザ装置には、基地局からの距離に応じたセル内の伝搬遅延差を補償するため異なるタイミングアドバンス（ＴＡ）値が指定され、異なるアップリンク送信タイミングによりアップリンク送信が行われる。図示された例では、ＵＥ＃３に最も大きなＴＡ値が指定され、ＵＥ＃１に最も小さなＴＡ値が指定されている。従来のＬＢＴでは、ユーザ装置は、指定されたアップリンク送信タイミングから所定時間前のタイミング（ＬＢＴタイミング）でＬＢＴを実行する。このため、ＵＥ＃３及びＵＥ＃２のＬＢＴでは、当該周波数帯域において他のユーザ装置の送信は検出されず（ＬＢＴ＝ＯＫ）、ＵＥ＃３及びＵＥ＃２は、当該サブフレームにおいてアップリンク送信を行うことになる。他方、ＵＥ＃１のＬＢＴでは、当該ＬＢＴタイミングより先にＵＥ＃３のアップリンク送信が行われるため、ユーザ装置ＵＥ＃３が当該周波数帯域を使用していることが検出され（ＬＢＴ＝ＮＧ）、ＵＥ＃１は、当該サブフレームにおけるアップリンク送信を中止する。なお、当該所定時間は、典型的には、各ユーザ装置ＵＥ＃１，ＵＥ＃２，ＵＥ＃３に静的に指定された共通の期間である。【０００７】
このような問題を解決するため、ユーザ装置を周波数多重する際、ＬＢＴタイミングがほぼ同一となるユーザ装置を基地局が選択して周波数多重することが想定される。しかしながら、この場合、基地局のスケジューラに追加的なスケジューリング制約が発生するため、システム効率が低下する可能性がある。【０００８】
従って、上述した問題点を鑑み、本発明の課題は、セル内の伝搬遅延差を考慮したＬＢＴを実現するための技術を提供することである。
【課題を解決するための手段】
【０００９】
上記課題を解決するため、本発明の一態様は、スケジューリングされた無線リソースを用いて基地局とセルを介した送受信を実行する送受信部と、前記セルの周波数帯域についてＬｉｓｔｅｎ  Ｂｅｆｏｒｅ  Ｔａｌｋ（ＬＢＴ）を、スケジューリングされたアップリンク送信タイミングに対し、個別のＬＢＴタイミングで実行する周波数利用状況検出部とを有するユーザ装置であって、前記周波数利用状況検出部が前記周波数帯域において他のユーザ装置が通信していないと判断すると、前記送受信部は、前記基地局へのアップリンク送信を実行するユーザ装置に関する。【００１０】
本発明の他の態様は、ユーザ装置による通信制御方法であって、基地局とのセルを介したアップリンク送信のためスケジューリングされた無線リソースを示すアップリンクスケジューリンググラントを受信するステップと、前記セルの周波数帯域についてＬｉｓｔｅｎ  Ｂｅｆｏｒｅ  Ｔａｌｋ（ＬＢＴ）を、スケジューリングされたアップリンク送信タイミングに対し、個別のＬＢＴタイミングで実行するステップと、前記周波数帯域において他のユーザ装置が通信していないと判断すると、前記基地局へのアップリンク送信を実行するステップとを有する通信制御方法に関する。
【発明の効果】
【００１１】
本発明によると、セル内の伝搬遅延差を考慮したＬＢＴを実現することができる。
【図面の簡単な説明】
【００１２】
【図１】図１は、アップリンク送信タイミング差による送信停止例を示す概略図である。
【図２Ａ】図２Ａは、本発明の一実施例による無線通信システムを示す概略図である。
【図２Ｂ】図２Ｂは、本発明の一実施例によるユーザ装置のハードウェア構成を示すブロック図である。
【図２Ｃ】図２Ｃは、本発明の一実施例による基地局のハードウェア構成を示すブロック図である。
【図３】図３は、本発明の一実施例によるユーザ装置の機能構成を示すブロック図である。
【図４】図４は、本発明の一実施例によるＬＢＴタイミングを示す概略図である。
【図５】図５は、本発明の一実施例によるユーザ装置による通信制御処理を示すフロー図である。
【発明を実施するための形態】
【００１３】
以下、図面に基づいて本発明の実施の形態を説明する。
【００１４】
後述される実施例では、アップリンク送信前にＬｉｓｔｅｎ  Ｂｅｆｏｒｅ  Ｔａｌｋ（ＬＢＴ）を実行するユーザ装置が開示される。本発明を概略すると、ユーザ装置は、アップリンク送信前に他のユーザ装置が当該セルの周波数帯域を使用しているか確認するためのＬＢＴを、アップリンク送信タイミングに対し個別のＬＢＴタイミングで実行する。当該ＬＢＴタイミングは、スケジューリングされているユーザ装置間の伝搬遅延差を補償するため導入される送信タイミング差によって、ＬＢＴが誤判定されることを回避するよう適応的に決定される。これにより、セル内の各ユーザ装置間の伝搬遅延差を考慮したＬＢＴを実現することが可能になる。
【００１５】
図２Ａを参照して、本発明の一実施例による無線通信システムを説明する。図２Ａは、本発明の一実施例による無線通信システムを示す概略図である。
【００１６】
図２Ａに示されるように、無線通信システム１０は、ユーザ装置１００Ａ，１００Ｂ，１００Ｃ（以降において、ユーザ装置１００と総称する）及び基地局２００を有する。無線通信システム１０は、典型的には、ＬＴＥシステム又はＬＴＥ−Ａｄｖａｎｃｅｄシステムである。図示された実施例では、１つの基地局２００しか示されていないが、無線通信システム１０のサービスエリアをカバーするよう多数の基地局２００が配置される。
【００１７】
ユーザ装置１００は、基地局２００により提供されるセルを介しスケジューリングされた無線リソースを用いて基地局２００と無線通信を行う。ユーザ装置１００Ａ，１００Ｂ，１００Ｃは、一般に基地局２００から異なる距離にあり、スケジューリングされた無線リソースを適切なタイミングで利用するため、基地局２００から指定されたタイミングアドバンス（ＴＡ）値に従う送信タイミングでアップリンク送信を実行する。
【００１８】
典型的には、ユーザ装置１００は、図示されるように、スマートフォン、携帯電話、タブレット、モバイルルータ、ウェアラブル端末などの無線通信機能を備えた何れか適切な情報処理装置であってもよい。図２Ｂに示されるように、ユーザ装置１００は、プロセッサなどのＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）やフラッシュメモリなどのメモリ装置１０２、基地局２００との間で無線信号を送受信するための通信回路１０３、入出力装置や周辺装置などのユーザインタフェース１０４などから構成される。例えば、後述されるユーザ装置１００の各機能及び処理は、メモリ装置１０２に格納されているデータやプログラムをＣＰＵ１０１が処理又は実行することによって実現されてもよい。しかしながら、ユーザ装置１００は、上述したハードウェア構成に限定されず、後述する処理の１以上を実現する回路などにより構成されてもよい。
【００１９】
基地局２００は、ユーザ装置１００と無線接続することによって、コアネットワーク（図示せず）上に通信接続された上位局から受信したダウンリンク（ＤＬ）パケットをユーザ装置１００に送信すると共に、ユーザ装置１００から受信したアップリンク（ＵＬ）パケットを上位局に送信する。図２Ｃに示されるように、基地局２００は、典型的には、ユーザ装置１００との間で無線信号を送受信するためのアンテナ２０１、隣接する基地局２００と通信するための第１通信インタフェース（Ｘ２インタフェースなど）２０２、コアネットワークと通信するための第２通信インタフェース（Ｓ１インタフェースなど）２０３、ユーザ装置１００との送受信信号を処理するためのプロセッサ２０４や回路、メモリ装置２０５などのハードウェアリソースにより構成される。後述される基地局２００の各機能及び処理は、メモリ装置２０５に格納されているデータやプログラムをプロセッサ２０４が処理又は実行することによって実現されてもよい。しかしながら、基地局２００は、上述したハードウェア構成に限定されず、他の何れか適切なハードウェア構成を有してもよい。
【００２０】
次に、図３〜５を参照して、本発明の一実施例によるユーザ装置を説明する。図３は、本発明の一実施例によるユーザ装置の機能構成を示すブロック図である。
【００２１】
図３に示されるように、ユーザ装置１００は、送受信部１１０及び周波数利用状況検出部１２０を有する。
【００２２】
送受信部１１０は、スケジューリングされた無線リソースを用いて基地局２００とセルを介した送受信を実行すると共に、周波数利用状況検出部１２０がセルの周波数帯域において他のユーザ装置１００が通信していないと判断すると、送受信部１１０は、基地局２００へのアップリンク送信を実行する。
【００２３】
具体的には、送受信部１１０は、スケジューリングされた無線リソースを用いて、基地局２００との間でアップリンク／ダウンリンク制御チャネルやアップリンク／ダウンリンクデータチャネルなどの各種無線チャネルを送受信する。基地局２００は、セル内の各ユーザ装置１００の基地局２００からの距離などに応じた伝搬遅延差を補償するため、アップリンク送信タイミングを調整するためのタイミングアドバンス（ＴＡ）値を各ユーザ装置１００に通知する。例えば、ユーザ装置１００が基地局２００の近傍にある場合、基地局２００は相対的に小さなＴＡ値を通知し、他方、ユーザ装置１００がセル端にある場合、基地局２００は相対的に大きなＴＡ値を通知する。送受信部１１０は、通知されたＴＡ値に基づく送信タイミングでアップリンク送信を実行する。
【００２４】
周波数利用状況検出部１２０は、セルの周波数帯域についてＬＢＴを、スケジューリングされたアップリンク送信タイミングに対し、個別のＬＢＴタイミングで実行する。上述したように、従来のＬＢＴでは、ユーザ装置１００は、基地局２００から通知されたアップリンク送信タイミングから所定期間前のタイミングでＬＢＴを実行し、当該所定期間は、典型的には、静的に指定された各ユーザ装置に共通の期間であった。一方、本実施例では、周波数利用状況検出部１２０は、基地局２００から通知されたアップリンク送信タイミングに対して各ユーザ装置１００に個別に設定されるＬＢＴタイミング又は個別に設定される期間に基づくＬＢＴタイミングで当該セルの周波数帯域に対してＬｉｓｔｅｎ  Ｂｅｆｏｒｅ  Ｔａｌｋ（ＬＢＴ）を実行し、当該周波数帯域において他のユーザ装置１００が通信していないか確認する。当該周波数帯域において他のユーザ装置１００が通信していないことを確認すると、送受信部１１０は、セル内のスケジューリングされた無線リソースを用いて基地局２００と通信する。ここで、当該個別のＬＢＴタイミングは、基地局２００によりスケジューリングされているユーザ装置１００の送信タイミングの相違に起因してＬＢＴが誤判定されることを回避するようなタイミングとして設定される。例えば、個別のＬＢＴタイミングは、各ユーザ装置１００に対して個別に設定された期間によるＬＢＴタイミングであってもよく、周波数利用状況検出部１２０は、当該ユーザ装置１００に個別に設定された期間より前のＬＢＴタイミングでＬＢＴを実行してもよい。すなわち、本実施例による個別のＬＢＴタイミングは、従来のＬＢＴのように、静的に各ユーザ装置１００に指定された所定の期間によるタイミングでなく、各ユーザ装置１００毎に設定された期間に基づくタイミングである。なお、ここで用いられる「スケジューリング」とは、基地局２００によるダイナミックなリソース割当てに限定されず、基地局２００がユーザ装置１００に予め無線リソースを割り当てることであってもよい。この場合、ユーザ装置１００は、当該割り当てを示すリソース設定情報を基地局２００から受信し、当該リソース設定情報に従って送信タイミングを決定すると共に、決定した送信タイミングに対して個別のＬＢＴタイミングを決定してもよい。例えば、リソース設定情報は、周期的に無線リソースを割り当てることを示すものであってもよい。
【００２５】
具体的には、ＬＢＴでは、周波数利用状況検出部１２０は、個別のＬＢＴタイミングで当該セルの周波数帯域全体をサーチし、当該周波数帯域の少なくとも一部において受信電力が所定の閾値を超過していることを検出すると、当該周波数帯域が他のユーザ装置１００により利用されていると判断し（ＬＢＴ：ＮＧ）、送受信部１１０は、基地局２００へのアップリンク送信を中止する。他方、当該周波数帯域の何れにおいても受信電力が所定の閾値以下である場合、周波数利用状況検出部１２０は、当該周波数帯域が他のユーザ装置１００により利用されていないと判断し（ＬＢＴ：ＯＫ）、送受信部１１０は、基地局２００へのアップリンク送信を実行する。
【００２６】
一実施例では、周波数利用状況検出部１２０は、基地局２００から指示されたＬＢＴタイミングでＬＢＴを実行してもよい。すなわち、基地局２００は、同一のサブフレームに多重されるユーザ装置１００の間のセル内の伝搬遅延差に基づき導入される送信タイミング差が、ＬＢＴの誤判定を生じさせないよう各ユーザ装置１００のＬＢＴタイミングを決定し、決定したＬＢＴタイミングをユーザ装置１００に通知する。当該ＬＢＴタイミングを受信すると、周波数利用状況検出部１２０は、通知されたＬＢＴタイミングでセルの周波数帯域に対してＬＢＴを実行する。
【００２７】
例えば、周波数利用状況検出部１２０は、基地局２００によって同一のサブフレームに多重される全てのユーザ装置１００に対して指示されたユーザ装置１００間のＬＢＴタイミング差が所定の範囲内に収まるようなＬＢＴタイミングでＬＢＴを実行してもよい。すなわち、図４に示されるように、基地局２００は、同一のサブフレームに多重される全てのユーザ装置１００に対して、ユーザ装置１００間のＬＢＴタイミング差が所定の範囲内に収まるようなＬＢＴタイミングとなるよう個別の期間を算出し、当該ＬＢＴタイミング又は算出した個別の期間をユーザ装置１００に通知する。当該ＬＢＴタイミングを受信すると、各ユーザ装置１００の周波数利用状況検出部１２０は、当該共通のＬＢＴタイミングでＬＢＴを実行することになる。これにより、各ユーザ装置１００は、ユーザ装置１００間のＬＢＴタイミング差が所定の範囲内に収まるようなＬＢＴタイミングでＬＢＴを実行することになり、スケジューリングされているユーザ装置１００間の送信タイミング差によるＬＢＴの誤判定を回避することが可能になる。
【００２８】
一実施例では、指示されたＬＢＴタイミングは、同一のサブフレームに多重されるユーザ装置１００のうち特定のユーザ装置１００に対するＬＢＴタイミングであってもよい。例えば、当該特定のユーザ装置１００は、同一のサブフレームに多重されるユーザ装置１００のうち最先の送信タイミングのユーザ装置１００（図示される例では、ＵＥ＃３）であってもよい。すなわち、基地局２００は、ライセンスバンド又はアンライセンスバンドのセル又はコンポーネントキャリア（ＣＣ）におけるＴＡ値に基づき、ＴＡ値が最も大きいユーザ装置１００のＬＢＴタイミングを全てのユーザ装置１００に通知してもよい。当該ＬＢＴタイミングを受信すると、各ユーザ装置１００の周波数利用状況検出部１２０は、当該ＬＢＴタイミングでＬＢＴを実行することになる。これにより、各ユーザ装置１００は、最先の送信タイミングのユーザ装置１００のＬＢＴタイミングでＬＢＴを実行することになり、ＬＢＴの誤判定を回避可能なＬＢＴタイミングを容易に導出することができる。
【００２９】
この場合、周波数利用状況検出部１２０は、特定のユーザ装置１００のタイミングアドバンス値の変化に応答して基地局２００から通知された変化量に従ってＬＢＴタイミングを調整してもよい。例えば、特定のユーザ装置１００がセル内を移動し、当該特定のユーザ装置１００のＴＡ値が変化した場合、基地局２００は、当該変化量をＭＡＣ（Ｍｅｄｉｕｍ  Ａｃｃｅｓｓ  Ｃｏｎｔｒｏｌ）  ＣＥ（Ｃｏｎｔｒｏｌ  Ｅｌｅｍｅｎｔ）によって各ユーザ装置１００に通知してもよい。例えば、当該ＭＡＣ  ＣＥは、既存のＴＡコマンドのＭＡＣ  ＣＥであってもよい。当該変化量を受信すると、周波数利用状況検出部１２０は、当該変化量に応じてＬＢＴタイミングを調整することになる。これにより、各ユーザ装置１００は、特定のユーザ装置１００のＴＡ値の変化量に従ってＬＢＴタイミングを動的に調整することになり、特定のユーザ装置１００の移動を考慮したＬＢＴタイミングでＬＢＴを実行することができる。
【００３０】
他の実施例では、周波数利用状況検出部１２０は、基地局２００からのＬＢＴタイミングの指示に依らず、個別のＬＢＴタイミングを自律的に決定してもよい。これにより、基地局２００からのＬＢＴタイミングの指示が不要となり、ダウンリンク制御チャネルなどのＬＢＴタイミングのシグナリングのための無線リソースを節約することができる。
【００３１】
一例として、周波数利用状況検出部１２０は、基地局２００から受信したセルのタイミングアドバンス最大値に基づきＬＢＴタイミングを決定してもよい。すなわち、当該ＴＡ最大値を受信すると、周波数利用状況検出部１２０は、最先の送信タイミングを認識することが可能になり、当該最先の送信タイミングより前の任意のＬＢＴタイミングでＬＢＴを実行することができる。例えば、当該ＴＡ最大値は、既存のＴＡコマンドのＭＡＣ  ＣＥにより通知されてもよい。これにより、各ユーザ装置１００は、最先の送信タイミングより前にＬＢＴを実行することができ、スケジューリングされているユーザ装置１００間の送信タイミング差によるＬＢＴの誤判定を回避することが可能になる。
【００３２】
他の例では、送受信部１１０は、基地局２００から受信したセルのタイミングアドバンス最大値と当該ユーザ装置１００のタイミングアドバンス値との間の期間に行われたＬＢＴ判定結果に関わらず、基地局２００へのアップリンク送信を判断してもよい。すなわち、周波数利用状況検出部１２０は、当該ユーザ装置１００のＴＡ値に応じたＬＢＴタイミングでＬＢＴを実行する一方、送受信部１１０は、（ＴＡ最大値−自局のＴＡ値）の期間におけるＬＢＴ判定結果を除外して、基地局２００へのアップリンク送信を判断してもよい。例えば、図１において、ＵＥ＃１の周波数利用状況検出部１２０は、ＵＥ＃３に対するＬＢＴ判定結果を除外して、基地局２００へのアップリンク送信を判断してもよい。
【００３３】
図５は、本発明の一実施例によるユーザ装置による通信制御処理を示すフロー図である。当該通信制御処理は、例えば、ユーザ装置１００が基地局２００への接続後にアップリンク送信を要求したことに応答して開始されてもよい。
【００３４】
ステップＳ１０１において、ユーザ装置１００は、基地局２００とのセルを介したアップリンク送信のためにスケジューリングされた無線リソースを示すアップリンクスケジューリンググラントを受信する。
【００３５】
ステップＳ１０２において、ユーザ装置１００は、当該セルの周波数帯域についてＬＢＴを、スケジューリングされたアップリンク送信タイミングに対して個別のＬＢＴタイミングで実行する。一実施例では、ユーザ装置１００は、基地局２００から指示された期間に基づき、アップリンク送信タイミングから指示された期間の前のＬＢＴタイミングでＬＢＴを実行してもよい。例えば、基地局２００は、同一のサブフレームに多重される全てのユーザ装置１００に対して、ユーザ装置１００間のＬＢＴタイミング差が所定の範囲内に収まるようなＬＢＴタイミングとなるように、各ユーザ装置１００のアップリンク送信タイミングより何れの期間だけ前にＬＢＴを実行すべきかを指示し、各ユーザ装置１００は、指示されたＬＢＴタイミングでＬＢＴを実行してもよい。他の実施例では、ユーザ装置１００は、基地局からのＬＢＴタイミングの指示に依らず、個別のＬＢＴタイミングを自律的に決定してもよい。例えば、ユーザ装置１００は、基地局２００から受信した当該セルのタイミングアドバンス最大値に基づきＬＢＴタイミングを決定してもよい。
【００３６】
ステップＳ１０３において、ユーザ装置１００は、周波数帯域において他のユーザ装置が通信していないと判断すると、基地局２００へのアップリンク送信を実行する。
【００３７】
以上、本発明の実施例について詳述したが、本発明は上述した特定の実施形態に限定されるものではなく、特許請求の範囲に記載された本発明の要旨の範囲内において、種々の変形・変更が可能である。
【００３８】
本出願は、２０１５年１月３０日に出願した日本国特許出願２０１５−０１６４０１号の優先権の利益に基づき、これを主張するものであり、２０１５−０１６４０１号の全内容を本出願に援用する。
【符号の説明】
【００３９】
１０  無線通信システム
１００  ユーザ装置
１１０  送受信部
１２０  周波数利用状況検出部
２００  基地局
【図１】
2016121872.tif 000003
【図２Ａ】
2016121872.tif 000004
【図２Ｂ】
2016121872.tif 000005
【図２Ｃ】
2016121872.tif 000006
【図３】
2016121872.tif 000007
【図４】
2016121872.tif 000008
【図５】
2016121872.tif 000009
【国際調査報告】
2016121872.tif 000010
2016121872.tif 000011